(57)【要約】【課題】降雨時、屋外に設置された感知器が反応し、室内にて降雨を容易に知ることができると共に、その感知装置の保守点検も容易で、且つ利便性を追求するものである。【解決手段】金属製のパンチングボード、或いはメッシュボード等の多孔質の上側メタル板と、電気的に絶縁をなす様一定間隔を置いて下側メタル板を対面させ、降雨時上側メタル板に降り注いだ雨水が下側メタル板に流入すると共に上下メタル板間を電気的に導通して報知回路を動作させる降雨感知装置。【選択図】  図２
2005091337.tif 000002
【特許請求の範囲】
【請求項１】
上側メタル板をステンレス、アルミ等の防錆に優れた金属製のパンチングボード、或いはメッシュボード等の多孔質とし、この上側メタル板と電気的に絶縁をなす様一定間隔を置いて下側メタル板を対面させ、降雨時、前記多孔質の上側メタル板に降り注いだ雨水が下側メタル板に流入すると共に媒体となって上下メタル板間を電気的に導通して報知回路を動作させることを特徴とする降雨感知装置。
【請求項２】
下側メタル板を上側メタル板と同様、ステンレス、アルミ等の防錆に優れた金属製のパンチングボード、或いはメッシュボード等の多孔質とすることを特徴とする請求項１記載の降雨感知装置。
【請求項３】
上側のメタル板を開閉自在なカバーにて覆い、降雨感知状態においてはそのカバーを開蓋し、非感知状態においては閉蓋することを特徴とする請求項１〜２記載の降雨感知装置。
【請求項４】
降雨時、上下側メタル板間の電気的導通によって該上下側メタル板間に挿入接続されたリレーを閉じと共に、報知回路を閉回路としてブザー、ランプ等の報知器を動作させることを特徴とする請求項１〜３記載の降雨感知装置。
【発明の詳細な説明】
【発明の詳細な説明】
【技術分野】
【０００１】  本発明は、屋外に設置された感知装置によって降雨を知らせる降雨感知装置に関する。
【背景技術】
【０００２】  一般的に降雨感知装置としては、二通りの方式が考えられる。
即ち、その一つは雨水をプールする容器内に、電極そのもの、或いは水位に従って上下動する浮子であるフロートを位置させて降雨時の一定水位を当該フロートが感知する所謂、フロート方式（２本の固定型電極を対峙し、水位上昇で短絡する方式もある）と、更に他の一つは水分の含有率によって電気抵抗値が変化する半導体を屋外に直接設置し、降雨時その雨水の浸透によって電気抵抗値が下降し、これを電気的に感知する半導体方式とである。【０００３】  而して、前者のものは降雨感知の後、容器内の雨水を放出する煩わしさがあり、冬季の氷結等保守点検にも問題がある。
更に、後者のものは温度変化に弱く、夏季、冬季の厳しい外気温に適応できない。勿論、氷結、発藻による半導体の物性変化によって誤動作にもつながる。
特に雨水は水道水に比し自然界の不純物が多く混入し、電気抵抗が大きく、半導体に対しては過酷な環境下となる。
また、粉塵の堆積、藻の発生による清掃ブラッシングによって表面を損傷することとなり、実用性に乏しい。
【発明が解決しようとする課題】
【０００４】    本発明の目的は降雨時、屋外に設置された感知器の電気的変化に対応して報知回路を動作させ、室内にて降雨を容易に知ることができると共に、その感知装置の保守点検も容易で、且つ利便性を追求するものである。
【課題を解決するための手段】
【０００５】  上記問題点を解決するため本発明では、金属製のパンチングボード、或いはメッシュボード等の多孔質の上側メタル板と、電気的に絶縁をなす様一定間隔を置いて下側メタル板を対面させ、降雨時上側メタル板に降り注いだ雨水が下側メタル板に流入すると共に上下メタル板間を電気的に導通して報知回路を動作させる降雨感知装置。
【発明を実施するための最良の形態】
【０００６】  以下本発明の実施の形態を示す図面に基づき説明する。
図１は降雨感知器を示す斜視図である。図に示す上側の多孔質のメタル板１はステンレス、アルミ等の防錆に優れた金属製のパンチングボード、或いはメッシュボード等の多孔質となっている。従って、降り注いだ雨水Ｒはその小孔２より下側に流れ落ちる。図２は拡大断面図、図３は拡大斜視図であって、上側メタル板１と電気的に絶縁をなす様一定間隔を置いて下側メタル板３を対面させている。降雨時、前記上側メタル板１の小孔２より流れ落ちた雨水は下側メタル板３に流入至ることとなる。これにより、この雨水を媒体として上下側メタル板１，３間は電気的に導通する。
而して、下側メタル板３は上側メタル板１の如く子孔２を有しない金属板としており、他の実施例の図４は上側メタル板１と同じ多孔質の金属板を用いている。これらは何れでもよい。即ち、下側メタル板３に流入した雨水は一定時間、換言すると一時的に電気的導通状態を維持すればよく、その小孔２の個数、孔径によって選択できる。上下側メタル板１，３間の電気的絶縁をなす様一定間隔は、絶縁リング４を介し、ボルト、ナット等の緊締具５にて維持する。【０００７】  更に、このメタル板１，３は同様に防錆に優れた金属製の上下四周枠６，６、更には絶縁中枠７にて保持され緊締具５と共に一体化する。この上側のメタル板１は開閉自在なカバー８にて覆われており、降雨感知状態においてはそのカバー８を開蓋８ａ状態とし、非感知状態においては閉蓋８ｂ状態として、不要な感知器の動作を防ぐ、更にカバー８は、その開き角度の調整によって雨水を多く吸収すると共に、上側メタル板１の集雨に加え注ぎ込み、動作を速める。
図５は、装置全体の回路であり、同図（イ）は感知回路で、メタル板１，３は、電源Ｅ１にトランス９を介してリレー１０と共に接続される。電源Ｅ１にはその電源スイッチ１１、電源表示ランプ１２が夫々接続されている。【０００８】  同図（ロ）は報知回路で、リレー１０の第１リレー接点１０ａがブザー、ランプ等の報知器１３と共に電源Ｅ２に接続されている。降雨時、上下側メタル板１，３間の電気的導通によって該上下側メタル板１，３間に挿入接続されたリレーを閉じと共に、報知回路を閉回路としてブザー、ランプ等の報知器を動作させる。この報知器１１の動作時間はタイマー１４よって設定される。第１タイマー接点１４ａは前記報知器１３に直列接続される。また、同様に動作表示ランプ１５も接続されている。勿論、タイマー１４に換え単なる切替スイッチでもよい。
同図（ハ）は、例えばこの降雨感知装置を降雨時のテントＰの張出及び晴天時の巻込用としての応用展開した駆動モーター回路で、前記リレー１０の第２リレー接点１０ｂはテントの操作スイッチ１６と共に、電源Ｅ３に接続されている。この操作スイッチ１６はテントＰの駆動モータ１７に接続され、例えば第１接点１６ａへの操作によって、モータ１７をテントの巻込に駆動させる。更に第２接点１６ｂへの切替によって、モータ１７をテントの張出に駆動させる。この第２接点１６ｂには前記タイマー１４の第２タイマー接点１４ｂが接続されている。【０００９】  次に本発明の動作を説明する。
降雨時、上側メタル板１に降り注いだ雨水は小孔２より下側メタル板３に流れ込み、図６に示す様に両者１，３間は短絡状態となる。而して同図（イ）において、リレー１０がオン状態となって同図（ロ）の第１リレー接点１０ａが閉じ、タイマー１４が一定時間動作して第１タイマー接点１４ａが閉じる。これにより報知器１３が一定時間動作し報知する。
続いて、同図（ハ）においては、第２リレー接点１０ｂも閉じているから、操作スイッチ１６を第２接点１６ｂに操作すれば、モータ１７をテントの張出に駆動させる。
更に、晴天時でのテントの巻き込みは、同図（ハ）において、操作スイッチ１６を第２接点１６ａに操作すれば、モータ１７をテントの巻込みに駆動させることも可能である。
【発明の効果】
【００１０】  本発明は以上の通りであり、金属製のパンチングボード、或いはメッシュボード等の多孔質の上側メタル板１と、電気的に絶縁をなす様一定間隔を置いて下側メタル板３を対面させ、降雨時上側メタル板１に降り注いだ雨水が下側メタル板３に流入すると共に媒体となって上下側メタル板１，３間を電気的に導通してブザー、ランプ等の報知器１３を動作させるようにしたから、室内にてその降雨を容易に知ることができると共に、その感知器は２枚のメタル板１，３であるから、フロート方式の如く、降雨感知の後、容器内の雨水を放出する煩わしさがなく、粉塵の堆積、藻の発生による清掃のブラッシングも容易で、冬季の氷結等保守点検にもさほど手間がかかることがなく、且つ半導体方式ものに比し、温度変化にも左右されることがなく、夏季、冬季の厳しい外気温にも問題がない。
【００１１】  更に、下側メタル板３を上側メタル板１と同様、ステンレス、アルミ等の防錆に優れた金属製のパンチングボード、或いはメッシュボード等の多孔質にしたから、同一材料の使用により製造、コスト面で有益となる。
また、上側のメタル板１を開閉自在なカバー８にて覆い、降雨感知状態においてはそのカバー８を開蓋し、非感知状態においては閉蓋する様にしたから、不要な感知器の動作を防ぐ、更にカバー８は、その開き角度の調整によって雨水を多く吸収して、上側メタル板１の集雨に加え注ぎ込み、動作を速めることができる。
【図面の簡単な説明】
【図１】  本発明の降雨感知装置に係わる感知器を示す斜視図
【図２】  同感知器の構成を示す断面図
【図３】  同感知器の構成を示す斜視図
【図４】  同感知器の他の構成を示す斜視図
【図５】  同降雨感知装置の報知回路図
【符号の説明】
Ｒ    雨水
１    上側メタル板
２    小孔
３    下側メタル板
８    カバー
１０  リレー
１３  報知器
【図１】
2005091337.tif 000003
【図４】
2005091337.tif 000004
【図２】
2005091337.tif 000005
【図３】
2005091337.tif 000006
【図５】
2005091337.tif 000007